(57)【要約】      （修正有）【課題】背枠に張材を取り付けて背を構成するものを前提として、張材への干渉を避けて全体の意匠性を損なうことなく、オプション部材の取付けや交換、及び、位置調整を容易に行うことのできる椅子を提供する。【解決手段】背枠がその上部に左右方向に延在する上枠部を備え、この上枠部の上面には前後方向の中心よりも前方寄りの位置にメッシュ地を取り付けるための取付溝が形成されるとともに、オプション部材であるハンガー４１を支持すべく上下方向に延在する支持杆４２と、上枠部に取り付けられる取付部材４３と、支持杆４２を取付部材４３との間で保持する保持部材４６とをさらに備え、取付部材４３は、上枠部の後縁を跨がり下面より上面に沿って延在する掛止部４５ｂを備え、掛止部４５ｂにより上枠部の後部に掛止されるとともに、上枠部の後縁と前縁とを挟み込むにあたってメッシュ地に干渉することなく取り付けられるように構成した。【選択図】図１２
2015144643.tif 000002
【特許請求の範囲】
【請求項１】
背枠と当該背枠の前面に張設する張材により構成される背を備えた椅子であって、
前記背枠がその上部に左右方向に延在する横杆を備え、当該横杆の上面には前後方向の中心よりも前方寄りの位置に前記張材を取り付けるための取付溝が形成されるとともに、
オプション部材を支持すべく上下方向に延在する支持杆と、前記横杆に取り付けられる取付部材と、前記支持杆を前記取付部材との間で保持する保持部材とをさらに備え、
前記取付部材は、前記横杆の後縁を跨がり下面より上面に沿って延在する掛止部を備え、当該掛止部により前記横杆の後部に掛止されるとともに、前記横杆の後縁と前縁とを挟み込むにあたって前記張材に干渉しないように取り付けられていることを特徴とする椅子。
【請求項２】
前記取付部材が、前側取付部材と、当該前側取付部材に後方よりねじ止めする後側取付部材とに分割され、これら前側取付部材と後側取付部材との間で前記横杆を保持するように構成していることを特徴とする請求項１記載の椅子。
【請求項３】
前記取付部材と前記保持部材とにより前記支持杆を保持する位置を変更可能に構成していることを特徴とする請求項１又は２記載の椅子。
【請求項４】
前記横杆が、上下方向の寸法に対して前後方向の寸法を大きく形成されていることを特徴とする請求項１〜３の何れかに記載の椅子。
【請求項５】
前記取付部材と前記横杆との間に左右方向の位置決めを行うための位置決め部が構成されていることを特徴とする請求項１〜４の何れかに記載の椅子。
【請求項６】
前記取付部材及び前記保持部材の一方に前後方向に延在する係合ピンが設けられ、前記取付部材及び前記保持部材の他方に前記係合ピンを摺動可能に受容する受容部が設けられているとともに、前記受容部に設けられた凹部と、前記係合ピンに設けられており前記凹部に収容される係止爪とを備えており、前記支持杆を保持した状態より前記取付部材と前記保持部材とを相対移動させた際に、前記凹部の周縁により前記係止爪が係止されることで前記取付部材と前記保持部材との位置規制を行うようにしたことを特徴とする請求項１〜５の何れかに記載の椅子。
【発明の詳細な説明】
【技術分野】
【０００１】
本発明は、張材の取り付けられた背枠に対し、オプション部材を取り付けることのできる椅子に関するものである。
【背景技術】
【０００２】
従来より、椅子を構成する背を、枠体に張材であるメッシュ地を取り付けることで構成した椅子が知られている。こうした椅子としては、例えば下記特許文献１に記載のものがある。これは、背枠と座枠を一体的に構成し、これらに形成した開口にメッシュ地を取り付けることによって着座面を形成したものとなっている。
【０００３】
このように枠体にメッシュ地を組み合わせた構成要素を備える椅子は、軽量で高い通気性を備えるものとすることができる上に、メッシュ地が通して見ることのできる枠体やその他のフレームの組み合わせによって、軽快で洗練された印象を与えることのできる優れた意匠性を持たせることが可能となる。
【０００４】
また、こうした枠構造を利用して、オプション部材を取り付けるオプション部材取付構造についても数多くのものが提案されている。
【０００５】
例えば、特許文献２に記載されたものは、張材との干渉を避けるために、枠体に沿って張材の取付溝に並行してもう一つの溝を設け、この溝を利用してオプション部材を直接的に取り付けるようになっている。
【０００６】
また、特許文献３に記載されたものは、背枠の両側部に取付部を設け、背の背部に配置されたオプション部材を双方の取付部に跨がるように取り付けるように構成されている。そして、側部に沿って上下方向にオプション部材を移動可能とするとともに、摺動面の一部に凹部と凸部とを設け、これらの係合位置を変更することで位置調整を行うことが可能となっている。
【先行技術文献】
【特許文献】
【０００７】
【特許文献１】特開２００７−２６０１１８号公報
【特許文献２】特開２０１２−１５２５６９号公報
【特許文献３】特開２０１１−１０１７７０号公報
【０００８】
しかしながら、特許文献２に記載された構成とした場合には、オプション部材の取付作業を、オプション部材全体を支持しながら行うことを要するため作業性が低下し、頻繁にオプション部材の位置調整や交換を行う場合には不利となる。
また、特許文献３に記載された構成を採用した場合には、オプション部材が大がかりなものとなってしまい、椅子全体の意匠性が大きく損なわれる可能性がある。また、取付けに手間が掛かり、他のタイプのオプション部材に交換する場合の作業性にも問題が生じる。
【０００９】
本発明は、このような課題を有効に解決することを目的としており、具体的には、背枠に張材を取り付けて背を構成するものを前提として、張材への干渉を避けて全体の意匠性を損なうことなく、オプション部材の取付けや交換、及び、位置調整を容易に行うことのできる椅子を提供することを目的とする。
【発明の概要】
【課題を解決するための手段】
【００１０】
すなわち、本発明の椅子は、背枠と当該背枠の前面に張設する張材により構成される背を備えた椅子であって、前記背枠がその上部に左右方向に延在する横杆を備え、当該横杆の上面には前後方向の中心よりも前方寄りの位置に前記張材を取り付けるための取付溝が形成されるとともに、オプション部材を支持すべく上下方向に延在する支持杆と、前記横杆に取り付けられる取付部材と、前記支持杆を前記取付部材との間で保持する保持部材とをさらに備え、前記取付部材は、前記横杆の後縁を跨がり下面より上面に沿って延在する掛止部を備え、当該掛止部により前記横杆の後部に掛止されるとともに、前記横杆の後縁と前縁とを挟み込むにあたって前記張材に干渉しないように取り付けられていることを特徴とする。
【００１１】
このように構成すると、張材に対する取付部材の干渉を避けて見た目や座り心地に影響を与えることなく、安定してオプション部材を取り付けることが可能となる。また、背枠を構成する横杆に取付部材を取り付け、保持部材を用いてオプション部材を保持させるようにすることで取付作業性を向上することができるとともに、オプション部材の位置調整や交換を容易に行うことも可能となる。
【００１２】
また、組立済みの椅子に対して後方よりねじ止め作業を行うことで、前側の張材に干渉することなく簡単にオプション部材の取付を行うには、前記取付部材が、前側取付部材と、当該前側取付部材に後方よりねじ止めする後側取付部材とに分割され、これら前側取付部材と後側取付部材との間で前記横杆を保持するように構成していることが好ましい。
【００１３】
簡単にオプション部材の高さ調整を行うには、前記取付部材と前記保持部材とにより前記支持杆を保持する位置を変更可能に構成していることが好適である。
【００１４】
また、背枠と張材により背を構成する点の特長を生かしてよりデザイン性を高めるとともに、取付部材を横杆に取り付けた際の安定性をより高めるためには、前記横杆が、上下方向の寸法に対して前後方向の寸法を大きく形成されていることが好適である。
【００１５】
さらに、左右方向にオプション部材の位置がずれることなく、適切にオプション部材の取付けを行うには、前記取付部材と前記横杆との間に左右方向の位置決めを行うための位置決め部が構成されていることが有効である。
【００１６】
そして、保持部材を取付部材から取り外すことなく支持杆を上下に移動させ、オプション部材の位置調整を容易に行うためには、前記取付部材及び前記保持部材の一方に前後方向に延在する係合ピンが設けられ、前記取付部材及び前記保持部材の他方に前記係合ピンを摺動可能に受容する受容部が設けられているとともに、前記受容部に設けられた凹部と、前記係合ピンに設けられており前記凹部に収容される係止爪とを備えており、前記支持杆を保持した状態より前記取付部材と前記保持部材とを相対移動させた際に、前記凹部の周縁により前記係止爪が係止されることで前記取付部材と前記保持部材との位置規制を行うように構成されていることが望ましい。
【発明の効果】
【００１７】
以上説明した本発明によれば、背枠に張材を取り付けて背を構成するものを前提として、張材への干渉を避けて全体の意匠性を損なうことなく、オプション部材の取付けや交換、及び、位置調整を容易に行うことのできる椅子を提供することが可能となる。
【図面の簡単な説明】
【００１８】
【図１】本発明の一実施形態に係るオプション部材取付構造を適用した椅子を示す斜視図。
【図２】同椅子の側面図。
【図３】同椅子よりメッシュ地を取り外した状態における正面図。
【図４】同椅子の縦杆を図３のＡ−Ａ位置において切断した拡大端面図。
【図５】同椅子の上枠部を図３のＢ−Ｂ位置において切断した拡大端面図。
【図６】同椅子の背枠の要部を示す拡大斜視図。
【図７】同椅子を構成する背枠の下枠部周辺を示す拡大斜視図。
【図８】図７の状態より溝形成部材を取り外した状態を示す拡大斜視図。
【図９】同椅子の下枠部を図７のＣ−Ｃ位置において切断して模式的に示した拡大端面図。
【図１０】同椅子を構成するメッシュ地と帯状体とを分解して示す模式図。
【図１１】同椅子に取り付けるハンガー及びハンガーの取付部材と保持部材の拡大斜視図。
【図１２】同ハンガー及びハンガーの取付部材と保持部材を前方より見た分解図。
【図１３】同ハンガー及びハンガーの取付部材と保持部材を後方より見た分解図。
【図１４】同ハンガー及びハンガーの取付部材と保持部材を図１２のＤ−Ｄ位置及びＥ−Ｅ位置において切断した拡大端面図。
【図１５】同ハンガー及びハンガーの取付部材と保持部材を図１２のＦ−Ｆ位置において切断した拡大端面図。
【図１６】ハンガーの前側取付部材の一部を拡大して示す斜視図。
【図１７】同ハンガーの後側取付部材を示す正面図。
【図１８】同ハンガーの取付部材及び保持部材を係止する構成を示す拡大斜視図。
【図１９】同ハンガーを背枠上端の高さ位置の異なる椅子に取り付けた際の説明図。
【図２０】本発明のオプション部材を変形した例を示す背面図。
【発明を実施するための形態】
【００１９】
以下、本発明の実施形態を、図面を参照して説明する。
【００２０】
この実施形態の椅子は、図１に示すように、脚体１の上方に座２を、座２の後方に背３を起立して配し、これらの座２及び背３を脚体１によって回転自在に支持させた回転椅子として構成したものである。
【００２１】
ここで、本願実施形態では方向を示す場合に、上下方向、前後方向、左右方向との語を用い、それぞれ図１のように起立した椅子を基準とした場合の一般の方向の呼びかたと同様、それぞれ鉛直方向（図中のＺ方向）、背３に略垂直となる方向（図中のＸ方向）、上下方向及び前後方向に垂直となる方向（図中のＹ方向）を指す。
【００２２】
椅子の構成について具体的に説明すると、脚体１は、放射状に延び先端にキャスター１１ａを備えた５本の脚羽根１１〜１１の中心部に脚支柱１２を回転可能に支持させてなるものであり、図２に示すように脚支柱１２の上端１２ａには、背３や座２を支持するための基礎となる支持基部１３が設けられている。脚支柱１２は、内部にガススプリング（図示せず）が組み込まれており、これを操作することで脚支柱１２の上端１２ａは支持基部１３とともに昇降可能となっている。
【００２３】
支持基部１３は、アルミダイキャスト等の剛体によって構成され、脚支柱１２より前方のやや上方に向かって延在し、その先端１３ａが座受２１の前部２１ａを支持している。座受２１の上部には、内部にクッションを備える座面２２が設けられており、これらによって座２が構成されている。
【００２４】
また、支持基部１３は脚支柱１２の左右の位置において、金属フレームによって構成された背支杆１４を回転自在に支持しており、この背支杆１４は後上方に向かって延在され、その先端１４ａには枠体としての背枠３１が設けられている。さらには、背支杆１４が支持基部１３により支持される位置より先端１４ａに向かう中途の位置において、前述の座受２１の後部２１ｂが回転自在に支持されている。そのため、背枠３１と座受２１とは、一部の回転支点がスライドしながら支持基部１３に対して連動して動作し、所謂シンクロロッキング動作が可能となっている。
【００２５】
背支杆１４の内部には、ガススプリング式の反力機構１４ｓ（図７参照）が設けられており、背枠３１の後傾に対して反力を生じるようになっている。同様に、支持基部１３の内部にも反力機構（図示せず）が設けられており、座受２１の移動に対して反力を生じるようになっている。また、背支杆１４の周囲には、樹脂製のカバー１５が複数に分割されて設けられており、上述した反力機構１４ｓとともに背支杆１４を覆うように構成している。
【００２６】
背枠３１には、後述するように、張材であるメッシュ地３８を取り付けるため、外周側を開放された取付溝Ｇが略全周に亘って形成されており、この取付溝Ｇにメッシュ地３８の縁部３８ａ（図１０参照）を挿入することで取り付けることができ、メッシュ地３８とともに背３を構成するようになっている。
【００２７】
背枠３１は、図２に示すように、全体的にやや後傾して設けられるとともに、下方から上方に向かって湾曲されながら前後方向の寸法が小さくなるようにしている。また、この背枠３１には、図１に示すように、オプション部材としてのランバーサポート６が設けられている。ランバーサポート６はメッシュ地３８の背面に配されており、着座者が背３にもたれかかった場合に、メッシュ地３８を介して腰部を支持することが可能となっている。
【００２８】
この椅子よりメッシュ地３８及びランバーサポート６を取外して正面から見た状態を図３に示す。背枠３１は、枠本体３２と、これに取り付けることで枠本体３２と協働して前述の取付溝Ｇ（図２参照）を形成する溝形成部材３６とによって構成されている。
【００２９】
枠本体３２は、上下方向に延在して形成された一対の縦杆３３，３３と、その上部同士と下部同士をそれぞれ連結する一対の横杆３４，３５によって構成されており、これらによって中央に略四角形状の開口ＯＰが形成されている。枠本体３２は、金型を用いた樹脂一体成形によって成形しているが、アルミ等の金属材料を用いて成形することも可能である。
【００３０】
左右に配置された縦杆３３，３３は左右対称の形状としているが、上下に配置された横杆３４，３５は互いに機能が異なることから形状は全く異なるものとなっている。そのため、以下において、上側の横杆は上枠部３４、下側の横杆は下枠部３５と区別して称する。
【００３１】
正面から見た場合、縦杆３３，３３同士は上方に向けてやや間隔を狭めながら配置されている。そのため、背３は上方に向かってやや小さくなるように構成される。これらと連結される上枠部３４は、中心が上方に向かって凸となるようにやや湾曲して形成されており、縦杆３３，３３との連結部は滑らかな円弧によって構成されている。下枠部３５も縦杆３３，３３との間で滑らかな曲線により連結されるように形成されており、左右方向両端よりも中央が前後方向の寸法が２倍程度に大きくなるように構成されており（図７参照）、この中央部に前述した背支杆１４が接続されている。
【００３２】
また、上枠部３４には、オプション部材として、取付部材４３及び保持部材４６によってハンガー４１が着脱可能に取り付けられている。ハンガー４１と、これを取り付ける取付部材４３及び保持部材４６についての構成については後述する。
【００３３】
縦杆３３は、図２に示すように、側面視において、下方から上方に向けて湾曲した部分と傾斜した部分が設けられている。具体的には、下枠部１５との連結部の直ぐ上には、支持面である前面３３ａを前方に向かって凸となるように湾曲させた湾曲部である第１領域Ｒ１と、その上方に設定され前面３３ａを前方に向かって凹となるよう第１領域Ｒ１とは逆向きに湾曲させた第２領域Ｒ２と、その上方に設定され前面３３ａを後方に向かって傾斜させた第３領域Ｒ３とを備える人間工学的見地に基づく形状とされている。図中で示すように、人間の背骨のラインＬＢは緩やかなＳ字カーブを描くものであることから、この縦杆３３も側面視においてほぼ同様のカーブを描くようにしている。すなわち、第１領域Ｒ１は標準的な体型の人が着座した際の腰部の高さ位置に設定された腰部領域とされるとともに、第２領域Ｒ２は上記標準的な体型の人が着座した際の背の高さ位置に設定された背領域とされており、これら腰部領域と背領域が側面視において着座者の背骨の湾曲とほぼ一致する形状となっている。さらに、第３領域Ｒ３は、標準的な体型の人の肩の高さ位置に設けられ、着座者の肩より背枠３１を離間させる形状にした肩領域となっている。前述したランバーサポート６（図１参照）は第１領域Ｒ１に設けられている。
【００３４】
このような縦杆３３に対してメッシュ地３８を取り付けることで、メッシュ地３８を縦杆３３の前面３３ａに沿った形状とすることができる。すなわち、背３における着座者の支持面全体に腰部領域（第１領域Ｒ１）、背領域（第２領域Ｒ２）、肩領域（第３領域）を形成することができる。そのため、人間工学的見地に基づき、人間の背骨の湾曲に沿って腰部と背を支持し、長時間着座しても疲労が少ない適切な姿勢で身体を保持することができる。また、肩領域においても、人間工学的見地に基づき、肩周りの空間を確保して腕を動かし易くして作業効率を高めることができるとともに、上体を反らしたリラックス時に対応するサポート領域としても利用することが可能となっている。なお、肩領域は肩よりも離間して形成するものであることから、背領域の上方である限り必ずしも肩と同一の高さ位置に設けることまでは要せず、肩よりもやや低い位置に形成した場合でも上述した効果を得ることができる。
【００３５】
ここで、図３のＡ−Ａ位置、すなわち第２領域Ｒ２において縦杆３３を切断した際の端面形状を図４に示す。この図に示すように、縦杆３３は、メッシュ地３８の支持面となる前面３３ａが前後方向に略直交する平面部として形成されており、全体的に前面３３ａに対して直交する方向、すなわち後方に向かって延在する形状となっている。さらに、前面３３ａの外側に連続する外側面３３ｂは後方にいくほど内側に傾斜するように形成されている。前面３３ａの内側には、後方にいくほど内側に傾斜する逃げ面３３ｃが形成され、この逃げ面３３ｃと連続して、後方にいくほど外側に向かって傾斜する内側面３３ｄが形成されている。そして、内側面３３ｄと外側面３３ｂとの間には後面３３ｅが形成されている。また、これら前面３３ａ、外側面３３ｂ、逃げ面３３ｃ、内側面３３ｄ及び後面３３ｅの大半は隣接するもの同士が滑らかな曲面によってそれぞれ接続されている。前面３３ａと逃げ面３３ｃとを接続する曲面に逃げ面３３ｃを加えてなる領域は、前面３３ａより内側に設定され、内側に向かうに従って漸次メッシュ地３８より離間する逃げ領域Ｒｃとなっている。
【００３６】
外側面３３ｂのうち前面３３ａの近傍の位置には前面３３ａとほぼ平行に、すなわち外周側を開放方向として取付溝３３ｇが形成されており、この取付溝３３ｇに縁部３８ａ（図１０参照）を挿入してメッシュ地３８を取り付けた場合には、このメッシュ地３８は外側面３３ｂより前面３３ａを経由して内側に向かって張設される。従って、前面３３ａはメッシュ地３８の位置を規制して全体形状の形成に寄与する支持面として機能している。また、支持面である前面３３ａの内側に逃げ領域Ｒｃが形成されていることから、縦杆３３全体の断面積にほとんど影響を与えることなく、すなわち、強度の低下を招くことなく、メッシュ地３８の支持領域を減らして、撓みを生じ易くしている。さらには、逃げ面３３ｃは、通常状態ではメッシュ地３８と離間しているものの、人がもたれかかることでメッシュ地３８が変形した場合に、メッシュ地３８と接触して安定性を増すことが可能となっている。
【００３７】
前面３３ａは一定以上の面積となるようにしており、着座者が左右に体勢をずらした場合に背中に食い込んで不快感や違和感を生じさせることがないようにしている。また、前面３３ａの内側には、鋭角な角部が生じないように逃げ面３３ｃが形成されることで、身体との接触を和らげるようになっている。そして、上枠部３４は、着座者の身体に接触し得る前面と逃げ面３３ｃより後方に向かって、翼断面のようにすぼめられた形状となっている。さらに、後面３３ｅは、前面３３ａよりも十分に小さく形成されており、より形状の特徴が顕著に表れるようにしている。また、逃げ面３３ｃを形成することなく、内側面３３ｃと前面３３ａとを延長させたより単純な形状を想定した場合、断面視略三角形状になっているということもできる。縦杆３３は、このような断面形状とすることで左右寸法Ｌ１よりも前後寸法Ｌ２を大きく（本実施形態ではほぼ２倍程度に）するようにしている。材料の使用量、強度及びデザインの観点からすると、前後寸法Ｌ２は左右寸法Ｌ１の１．５倍以上３倍以下とすることが好ましい。上記のような寸法の関係にしていることから、正面視においてメッシュ地３８を介して縦杆３３の見える部分が少なく、より洗練した印象を与えることが可能となっている。また、縦杆３３には、主として、着座者が後方にもたれかかることによる後方への荷重が作用することから、前後寸法Ｌ２を大きくすることによって後方への荷重に対する強度を確保することが可能となっている。
【００３８】
換言すれば、縦杆３３については、受圧面として機能する前面３３ａ及び逃げ面３３ｃや、張材取付箇所として機能する溝３３ｇが形成された前半部の前後寸法に対して、逆三角形にすぼませた形状をなす後半部についてもほぼ同じかそれ以上の肉厚寸法を確保している。
【００３９】
縦杆３３は、第２領域Ｒ２のみならず、第１領域Ｒ１を含め、上下方向に沿ってほぼ同一の形状をしている。すなわち、左右方向の寸法（左右寸法Ｌ１）よりも前後方向の寸法（前後寸法Ｌ２）が小さく形成されていることから、材料を削減しながら、上述した第１領域Ｒ１、第２領域Ｒ２、第３領域Ｒ３を適切に形成することが可能となっている。
【００４０】
そして、上述したように、上部に行くに従って前後寸法Ｌ２が小さく（本実施形態では約１／２程度に）なるように構成されているが、左右寸法Ｌ１はほとんど変化しないようにしている（図３参照）。下部の前後寸法Ｌ２に対する上部の前後寸法の割合は、３０〜６０％程度にすることが好ましい。上記のような寸法関係にしていることから、正面視において上部と下部で縦杆３３の寸法はほとんど変化していないように見え、安定した印象を与えることができる（図２参照）。また、着座者がもたれかかることによって生じる後方への荷重による曲げモーメントは、縦杆３３の下側ほど大きく上側ほど小さくなるため、上述したように上部に向かって前後寸法Ｌ２を小さくするようにしても強度が不足することはなく、側面視において上部が細くなった洗練された印象を生じさせるとともに、材料を少なくして製造コストの低減を図ることも可能となっている。
【００４１】
次に、上枠部３４の形状について説明を行う。図３のＢ−Ｂ位置において上枠部３４を切断した際の断面形状を図５に示す。
【００４２】
この図に示すように、上枠部３４は、前面３４ａが斜め上方に向かう平面部として形成されており、前面３４ａの上方に連続して後方にいくほど下方に向かって傾斜する上面３４ｂが形成されている。また、前面の下方に連続して後方にいくほど下方に向かって傾斜する逃げ面３４ｃが形成され、この逃げ面３４ｃと連続して、後方にいくほど上方に向かって傾斜する下面３４ｄが形成されている。これら前面３４ａ、上面３４ｂ、逃げ面３４ｃ及び下面３４ｄは隣接するもの同士が滑らかな曲面によってそれぞれ接続されている。上述した縦杆３３（図４参照）と同様、前面３４ａと逃げ面３４ｃとを接続する曲面に逃げ面３４ｃを加えてなる領域は、前面３４ａより内側に設定され、内側に向かうに従って漸次メッシュ地３８より離間する逃げ領域Ｒｃとなっている。
【００４３】
前面３４ａと逃げ面３４ｃとを接続する曲面のうち最も前方に突出する部分が、上枠部３４の延在方向に沿って前縁Ｅｆを構成し、上面３４ｂと下面３４ｄとを接続する曲面のうち最も後方に突出する部分が、上枠部３４の延在方向に沿って後縁Ｅｒを構成することになる。
【００４４】
上面３４ｂのうち、前後方向の中心位置よりも前方よりの位置、具体的には前面３４ａの近傍の位置には前面３４ａとほぼ平行に、すなわち外周側を開放方向として取付溝３４ｇが形成されており、この取付溝３４ｇに縁部３８ａ（図１０参照）を挿入してメッシュ地３８を取り付けた場合には、メッシュ地３８は上面３４ｂより前面３４ａに沿って延び、縦杆３３の上部の形状に沿って斜め下方に向かって配されることになる。
【００４５】
前面３４ａは、縦杆３３の前面３３ａと同様、メッシュ地３８を支持する支持面として機能するものであり、支持面である前面３４ａの内側に逃げ領域Ｒｃが形成されていることから、上枠部３４全体の断面積にほとんど影響を与えることなく、すなわち、強度の低下を招くことなく、メッシュ地３８の支持領域を減らして、撓みを生じ易くしている。さらには、前面３４ａは、一定以上の面積となるようにしており、着座者が身体を反らすようにして背中を上枠部３４に当接させた際に、上枠部３４が背中に食い込んで不快感や違和感を生じさせることがないようにしている。また、前面３４ａの下方には、鋭角な角部が生じないように逃げ面３４ｃが形成されることで、身体との接触を和らげるようになっている。そして、上枠部３４は、着座者の身体に接触し得る前面３４ａ及び逃げ面３４ｃより後方に向けて翼断面のようにすぼめられた形状となるようにしている。なお、逃げ面３４ｃを設けない単純な形状を想定した場合には、前面３４ａより後縁Ｅｒに向かう断面視略三角形状に形成されているということができる。こうすることで、上下寸法Ｌ３よりも前後寸法Ｌ４が大きく（本実施形態ではほぼ１．７倍程度に）なるようにしている。材料の使用量、強度及びデザインの観点からすると、前後寸法Ｌ４は左右寸法Ｌ３の１．４倍以上２．５倍以下とすることが好ましい。上記のような寸法の関係にしていることから、縦杆３３と同様、正面視においてメッシュ地３８を介して上枠部３４の見える部分が少なくより洗練した印象を与えることが可能である上に、主として作用する後方への荷重に対する強度を確保することが可能となっている。
【００４６】
換言すれば、縦杆３３と同様、上枠部３４も、受圧面として機能する前面３４ａ及び逃げ面３４ｃや、張材取付箇所として機能する溝３４ｇが形成された前半部の前後寸法に対して、逆三角形にすぼませた形状をなす後半部についてもほぼ同じかそれ以上の肉厚寸法を確保している。
【００４７】
上枠部３４と縦杆３３とは図６に示すように滑らかに連続しており、それぞれに設けられた取付溝３４ｇ，３３ｇも連続するように形成されている。そのため、メッシュ地３８は、上枠部３４と縦杆３３にかけて滑らかな面を形成しながら張設される。
【００４８】
次に、下枠部３５の形状について説明を行う。下枠部３５は、上述した通り背支杆１４に接続されることから、図７に示すように、他の縦杆３３等に比べて大型に構成されている。下枠部３５の下面には、背支杆１４がねじ止めされ、その内部には上述した反力機構１４ｓが設けられている。
【００４９】
下枠部３５は、上述の開口の周縁の一部を構成する左右方向に延在する上板部３５ａと、この上板部３５ａの後部中央に接続され背支杆１４を下面に取り付けられる下板部３５ｂと、左右の縦杆３３，３３より下板部３５ｂ及び上板部３５ａに接続される側板部３５ｃ，３５ｃとによって構成されており、互いに滑らかな曲面によって接続されている。これらによって下枠部３５は、前方に向かって開放されて開口が略逆台形をなす凹状の内部空間Ｓを形成している。内部空間Ｓは、成形上の肉盗みとしても機能しており、材料の削減及び軽量化に寄与している。また、下板部３５ｂは背３全体を支える背支杆１４の取付しろを広く確保するために、上板部３５ａに比べて前後方向の寸法を大きく設定されている。下板部３５ｂは、背支杆１４に連続する支持杆としても機能しており、枠本体３２と一体に形成されることで、部品点数を削減するとともに、全体の一体感が得られる良好な外観を得ることが可能となっている。こうした点を問題にしなければ、下板部３５ｂや側板部３５ｃ，３５ｃを枠本体３２とは別に構成することもできる。下枠部３５全体としては、縦杆３３や上枠部３４と同様、上下寸法に比べて前後方向に長い形状とされ、より統一感のある洗練性された優れた意匠性を与えるものとなっている。
【００５０】
ただし、縦杆３３や上枠部３４とは異なり、下板部３５ｂや側板部３５ｃに外周側を開放方向とする取付溝Ｇを形成したとしても、メッシュ地３８は背支杆１４と干渉するために取付けを行うことができなくなる。そのため、下枠部３５のうち上板部３５ａの下方に外周側を開放方向とする取付溝３５ｇを形成し、縦杆３３や上枠部３４の取付溝３３ｇ，３４ｇと連続させる構成とすることが考えられる。しかしながら、下枠部３５は上述したように前方に向かって開放された内部空間Ｓが形成されるものとしていることから、この下枠部３５を金型を用いて成形した場合、その金型の抜き方向は前後方向に設定することになる。そのため、下方を下板部３５ｂによって覆われた、すなわち外周側より見て下板部３５ｂによってオーバーラップされた位置にある上板部３５ａには、スライド型を用いたとしても取付溝Ｇを形成することは困難である。上記の点について、取付溝Ｇを中心とする位置関係に着目した場合、メッシュ地３８を取り付けるために下枠部３５に形成する取付溝３５ｇをその開口方向（外周方向）に延長した面と交差する位置に別の構造である下板部３５ｂが一体に設けられているものとみることができる。
【００５１】
そこで、本実施形態においては、図８に示すように、下枠部３５の内部空間Ｓにおいて上板部３５ａに沿って溝形成部材３６を取り付けることで、取付溝３５ｇ（図９参照）を形成することが可能となっている。内部空間Ｓは、溝形成部材３６に対して大きく開放されていることから、取付作業も容易に行うことが可能である。溝形成部材３６は、上板部３５ａに沿った平板状の部材であり、貫通孔３６ａが左右方向に離間した５箇所の位置に形成されている。そして、この貫通孔３６ａと下枠部３５に形成されたねじ孔３５ｄ１とを利用してねじ止めすることで枠本体３２とともに枠体である背枠３１を構成する。
【００５２】
具体的には、図９に示すように、上板部３５ａには後方向に凹ませて形成した段差部３５ｄを設け、この段差部３５ｄに上述したねじ孔３５ｄ１を形成している。そして、段差部３５ｄの下側には、さらに凹ませて形成した凹部３５ｅを設けている。そして、上記段差部３５ｄに溝形成部材３６を取り付けることによって、凹部３５ｅと溝形成部材３６との間で、取付溝３５ｇを形成することが可能になっている。
【００５３】
この取付溝３５ｇは、縦杆３３や上枠部３４に形成された取付溝３３ｇ，３４ｇとともに、開口ＯＰを設けられた背枠３１の略全周に亘って形成され、メッシュ地３８を取り付けるためのほぼ連続した一個の取付溝Ｇを構成する。図７に示すように、縦杆３３に形成される取付溝３３ｇは下枠部３５に近接する位置で途切れており、下枠部３５と溝形成部材３６とによって形成される取付溝３５ｇとは連続していない。しかしながら、双方の取付溝３３ｇ，３５ｇの端部は、互いに延長した場合に連続する位置関係に形成されていることから、ほぼ連続しているものとして考えることができる。もちろん、各部材の形状を変更することにより、完全に取付溝Ｇが連続するように構成することもできる。
【００５４】
メッシュ地３８を取り付けた際には、溝形成部材３６は下枠部３５とメッシュ地３８とによって覆われることになるため、溝形成部材３６はほとんど目立つことなく、背枠３１を枠本体３２と溝形成部材３６とに分割して構成してもデザイン性が損なわれることはない。また、背枠３１を構成する下枠部３５にメッシュ地３８が取り付けられることで、背枠３１に形成される開口ＯＰ全体を覆い、背３全体の統一感を生じさせるとともに、この背３が正面視において座２よりも下側にまで配されるようにしていることから（図３参照）、より高級感のある意匠性を持たせることが可能となっている。
【００５５】
ここで、メッシュ地３８は、図１０に示すように、背の形状にカットされ取付溝Ｇ（図２参照）に挿入する縁部３８ａには帯状の補強帯３９が縫製によって取り付けられている。そのため、メッシュ地３８は補強帯３９とともに縁部３８ａを取付溝Ｇに挿入されることで、しっかりと挿入された位置を保持して、形態を安定させることができるようになっている。縦杆３３，３３及び上枠部３４に対応する部分は、一本の補強帯３９を屈曲させながら立体的に縫製して取り付けており、下枠部３５に対応する部分にのみ別の補強帯３９を取り付けている。双方の補強帯３９，３９の間は、縦杆３３に形成される取付溝３３ｇと下枠部３５に設けられた溝３５ｇとの間に位置する部分となり、補強帯３９を取り付けない単なる凹部３８ｂとされており、メッシュ地３８のほつれ処理のみを行っている。
【００５６】
このようにメッシュ地３８を、背枠３１のほぼ全周に亘って形成された取付溝Ｇに挿入することで背枠３１の形状に沿ってその前面に張設して、背３を構成するようにしている。取付溝Ｇは、各位置において外周側を開放方向として形成されていることから、メッシュ地３８の縁部３８ａを容易に挿入することができ、簡単に取付作業を行うことが可能である。また、メッシュ地３８は取付溝Ｇよりほぼ１８０°反対の方向に延在することになるため、張力が作用する方向と取付溝Ｇの開放方向がほぼ反対向きになり、簡単に外れることはない。
【００５７】
また、メッシュ地３８を背枠３１の取付溝Ｇに取り付けることで、背３の前面を適切な形状にすることができる。具体的には、図２を用いて上述したように縦杆３３は側面視において、下方より、第１領域Ｒ１、第２領域Ｒ２、第３領域Ｒ３が形成されていることから、これに沿った形状にメッシュ地３８は起伏や平面を生じながら張設され、簡単に背３全体をこの形状に維持することが可能となっている。そのため、メッシュ地３８を背枠３１に取り付けた比較的簡単な構造であるにも関わらず、背３の形状を、着座者の体に適した快適なものにすることが可能となっている。
【００５８】
以下、上枠部３４に取り付けるオプション部材であるハンガー４１の取付構造について説明を行う。ハンガー４１は、図１〜３及び図１１に示すように、椅子に衣類掛けの機能を付加させ、着座者が着用していた衣服などを掛けることができるようにしたものであり、図１２及び１３に示すように左右２本の杆４２ａ，４２ａ及び２本の杆４２ａの下部を連結する連結部４２ｂからなる支持杆４２を一体的に設けられている。そして、このハンガー４１は、前側取付部材４４と後側取付部材４５とからなる取付部材４３、保持部材４６及び締め付けねじ４７によって上枠部３４（図３参照）の中央部分に取り付けられている。
【００５９】
ハンガー４１及びその取付構造の構成を具体的に説明すると、まずハンガー４１は、図１〜３の各図面に示すように、正面視で上方向に凸、平面視で後ろ方向に凸となるよう湾曲し、背３とほぼ同一の幅に延びることで、上枠部３４の湾曲に沿うように形成されており、背枠３１とのデザインの統一と衣服の掛けやすさを図るとともに、不要な設置スペースの増加を防止している。また、ハンガー４１は平面視でほぼ等幅であり、正面視での厚みもほぼ等しくなっている。さらに、端部４１ａは滑らかな曲線となっており、柔らかな印象を与えている。
【００６０】
支持杆４２はハンガー４１の下部に連結され、図１１〜１３に示すように、下方に延び、左右方向を法線方向に設定された板状の２本の平行な杆４２ａ，４２ａとこの２本の杆４２ａ，４２ａを接続し、滑らかな下向きの円弧を形成する連結部４２ｂとから構成されており、２本の杆４２ａ，４２ａの間隔は上枠部３４の長さの約半分となっている（図３参照）。また、杆４２ａ，４２ａ前方の取付部材４３と当接する部分には、距離をＨｄだけ隔てた上下２か所に円形の凹部４２ｑ１，４２ｑ２がそれぞれ設けられている。
【００６１】
杆４２ａ，４２ａは、図２で示すように側面視において上方が後方に反っており、これによってハンガー４１に衣服を掛けた時に背３と衣服が干渉しないようになっている。なお、連結部４２ｂと背３との間には図２に示すように十分な間隔が存在しているため、連結部４２ｂを掴むことができるようになっており、椅子を移動させる際に取手として用いることができるようになっている。
【００６２】
取付部材４３は、図１２〜１５に示すように前側取付部材４４と後側取付部材４５から構成され、上枠部３４の中央部約半分（図３参照）を前側取付部材４４と後側取付部材４５が上枠部３４を前後方向から挟み込むことで挟持し、さらに保持部材４６とともに支持杆４２を挟持するものである。その形状は、上枠部３４に沿って平面視で後方に凸となるよう湾曲しており、上枠部３４を挟み込むことで上枠部３４の前面３４ａ及び上面３４ｂの前方を除く周囲の略４分の３を覆うようになっている。また、図３の正面視において左右方向の中央部が厚く端部に行くほど薄くなっている。
【００６３】
図１２〜１５を用いて具体的に説明すると、前側取付部材４４は、上枠部３４の逃げ面３４ｃ及び前縁Ｅｆを支持するべく、正面視において上枠部３４の前縁Ｅｆと逃げ面３３ｃを覆うよう左右方向に延在し、図１４及び１５に示すように、上枠部３４の下方に位置する底板部４４ｂと上方へ向かって延びる起立部４４ａがなめらかに接続することで構成されている。なお、図１３に示すように、底板部４４ｂの左右方向両端は上方に立ち上がっており、その上面は上枠部３４を支持する支持面４４ｄの一部を構成している。また、底板部４４ｂの上部には、左右方向中央部に２枚の垂直板４４ｇ，４４ｇが設けられるとともに、当該垂直板４４ｇを挟んだ左右にはナット用穴４４ｆ，４４ｆ（図１６参照）が形成された垂直壁４４ｈ，４４ｈが設けられている。ナット用穴４４ｆは、図１６に示すように、垂直壁４４ｈの上方を開口する直方体形状の穴であり、後側の壁面に後側取付部材４５との対向面まで貫通する挿通孔４４ｓが設けられているため、ナット４７ａを上部より導入して、後方より挿通孔４４ｓに挿入したボルト４７を用いて締結することができるようになっている。
【００６４】
また、図１４及び１５に示すように、起立部４４ａはその上面が上枠部３４を支持する支持面４４ｄの一部を構成して上枠部３４の前縁Ｅｆ付近と当接しており、垂直板４４ｇ，４４ｇ及び垂直壁４４ｈ，４４ｈはその上面が支持面４４ｄの一部を構成して上枠部３４の逃げ面３４ｃと当接している。なお、支持面４４ｄは底板部４４ｂの両端の上面と、起立部４４ａの上面と、垂直板４４ｇ，４４ｇの上面と、垂直壁４４ｈ，４４ｈの上面とから構成される。そして、支持面４４ｄは上枠部３４の側面視において下方に凸となるカーブに沿って湾曲して形成されている。
【００６５】
さらに、前側取付部材４４には、図１３及び図１４（ｂ）に示すように、側面視形状が三角形であり、後方に向かって突出する突起４４ｐ，４４ｐが、起立部４４ａ上面の左右方向２か所に設けられている。また、図１１〜１４に示すように、起立部４４ａの先端の中央部分には切り欠き４４ｉが設けられ、上枠部３４に設けられた図示しない突起と係合できるようになっている。
【００６６】
一方、後側取付部材４５は、図１４及び１５に示すように、上枠部３４の上面３４ｂを保持する上面部４５ｂ１と下面３４ｄを保持する下面部４５ｂ２からなる掛止部４５ｂを有している。上面部４５ｂ１は、左右方向に延在して平板形状をなし、両端は下方に折れ曲がっており、左右方向中央には垂直板４５ｅが設けられて、上面部４５ｂ１の両端の下面と垂直板４５ｅの下面、さらに上面部４５ｂ１先端の左右に亘る下面によって、上枠部３４と当接する内上面４５ｄ１を形成している（図１７参照）。また、下面部４５ｂ２は、左右方向に亘って上枠部３４の下面３４ｄと当接する面である内下面４５ｄ２を有しており、内上面４５ｄ１と内下面４５ｄ２とによって側面視逆くの字形が形成されていて、上枠部３４との当接面は上枠部３４の平面視において後方に凸となるカーブに沿って滑らかに湾曲するようになっている。
【００６７】
なお、上面部４５ｂ１の両端及び垂直板４５ｅは前方に向かうにつれて上下方向の寸法が小さくなるように形成されているため、上面部４５ｂ１が上枠部３４に対して上方に突出しないようになっており、後側取付部材４５を上枠部３４に取り付けた際の正面視ではほとんど見えない状態となるため、よりすっきりと見えるデザインとなっている。
【００６８】
また、図１２及び１７に示すように、後側取付部材４５の下方の前面側は左右方向に亘って当接面４５ｃとされ、前側取付部材４４の後面である当接面４４ｃ（図１３及び１６参照）と当接するようになっており、当該当接面４５ｃには、前後方向に貫通する挿通孔４５ｓ，４５ｓが左右２か所に設けられている。挿通孔４５ｓ，４５ｓは、図１５に示すように前側取付部材４４の挿通孔４４ｓ，４４ｓおよび後述する保持部材４６の挿通孔４６ｓ，４６ｓと連続するようになっている。図１７に戻って、当接面４５ｃには垂直溝４５ｇ〜４５ｇが挿通孔４５ｓ，４５ｓを挟んで両側に設けられ、その外側にはリブ４５ｆ〜４５ｆが下面部４５ｂ２の下部に設けられており、リブ４５ｆ〜４５ｆは下面部４５ｂ２を下方より支持している。さらに、下縁溝４５ｈ，４５ｈが当接面４５ｃの下縁に沿って左右２か所に設けられており、肉抜き４５ｉ，４５ｉが当接面４５ｃの両端に設けられている。
【００６９】
また、図１３に示すように、後側取付部材４５の後面４５ｅには支持溝４５ａ，４５ａが２本の杆４２ａ，４２ａの間隔と同じ間隔で左右に形成されており、後述する保持部材４６の支持溝４６ａ，４６ａとともに杆４２ａ，４２ａを囲むようにして前後方向から挟持するようになっている。
【００７０】
加えて、図１３〜１５に示すように、後側取付部材４５の後面の下方には、凹部４５ｘが支持溝４５ａ，４５ａの内側で左右方向に延在し、同じく後側取付部材４５の後面の上方には、凹部４５ｙが支持溝４５ａ，４５ａの内側で左右方向に延在して、後側取付部材４５の後面の左右端部には、凹部４５ｚ，４５ｚが上下方向に延在している。また、凹部４５ｘの底面の下方中央部にはさらに矩形の窪部４５ｘ１が設けられている。そして、これら凹部４５ｘ，４５ｙ，４５ｚ，４５ｚ及び窪部４５ｘ１は保持部材４６が備える突出部４６ｘ、上部突起４６ｙ、端部突起４６ｚ，４６ｚ及び突起４６ｘ１（図１２参照）に係合するようになっている。さらに、後側取付部材４５の後面の、凹部４５ｘと凹部４５ｙとの間には、左右２ヶ所に係合ピン４５ｗが後方に向けて突出していて、保持部材４６の受容部４６ｗと嵌り合うようになっている（図１８参照）。
【００７１】
次に、図１２に示す保持部材４６は、ハンガー４１を保持すべく支持杆４２を挟み込みながら後側取付部材４５に後部から係合させる部材であり、図１４及び１５に示すように、側面視における形状が後方に向かうにつれて薄くなるよう形成されている。これによって、保持部材４６を取付部材４３とともに上枠部３４に取り付けた際に、取付部材４３と保持部材４６によって形成される側面視形状は、上枠部３４の形状と略相似形になる。また、図１２に示すように、保持部材４６の前面（図１２の手前側の面）には、前述した支持杆４２を囲むべく上下方向に延びる支持溝４６ａ，４６ａが正面視で左右の端部に設けられている。
【００７２】
保持部材４６の前面には、後側取付部材４５と係合するための突出部４６ｘと、上部突起４６ｙと、端部突起４６ｚ，４６ｚとが設けられている。具体的には、突出部４６ｘは、保持部材４６の中央底部において支持溝４６ａ，４６ａの内側で左右方向に延在し且つ前方へ突出するように設けられている。より具体的には、突出部４６ｘは保持部材４６の下側の面と連続する板状の部分と、その左右方向両端より上方に立ち上がった形状となっている。さらに、突出部４６ｘの上部には左右方向に３枚の垂直板４６ｃ〜４６ｃが設けられている。また、上部突起４６ｙは、保持部材４６の中央上部において、支持溝４６ａ，４６ａの内側で左右に延在し且つ前方に突出するように設けられている。端部突起４６ｚ，４６ｚは、支持溝４６ａ，４６ａより外側の両側端部において、上下方向に延びる直方形形状をなし且つ前方へ突出するように設けられている。
【００７３】
また、上部突起４６ｙの下部の左右２か所には、後側取付部材４５の係合ピン４５ｗと係合するよう、円筒状の受容部４６ｗが設けられており、その内部の穴に係合ピン４５ｗが挿入され、摺動可能に保持されるようになっている。そして、下部の正面視左右２か所には図１５に示すように後側取付部材４５の挿通孔４５ｓ，４５ｓに連続するように前後に貫通する挿通孔４６ｓ，４６ｓが開けられている。
【００７４】
以下、上記のように構成されたハンガー４１、取付部材４３及び保持部材４６を上枠部３４に取り付けた際の、当該ハンガー４１、取付部材４３及び保持部材４６の取付構造を説明する。
【００７５】
ハンガー４１は、図１２，１３の分解図及び図１４，１５の端面図に示すように、前側取付部材４４と後側取付部材４５とによって上枠部３４を挟み込み、後側取付部材４５と保持部材４６とによって支持杆４２（杆４２ａ）を挟み込むことによって取り付けられる。具体的には、保持部材４６、後側取付部材４５、前側取付部材４４のそれぞれ下部２ヶ所に設けられた挿通孔４６ｓ，４６ｓ，４５ｓ，４５ｓ，４４ｓ，４４ｓに締め付けねじ４７，４７を後方から通し、前側取付部材４４のナット用孔４４ｆ，４４ｆに設けたナット４７ａ，４７ａに締め付けねじ４７，４７を螺入することで、保持部材４６、後側取付部材４５、前側取付部材４４と、それらに挟み込まれた支持杆４２及び上枠部３４を固定する。この際、上枠部３４と後側取付部材４５とは、図１４（ｂ）に示すように、前側取付部材４４の左右方向２か所に設けられた突起４４ｐ，４４ｐ（図１３参照）とそれに対応する上枠部３４側に設けられた切り欠き４５ｐ，４５ｐからなる位置決め部４８によって左右の位置を定めつつ係合されている。また、前側取付部材４４の底板部４４ｂ、垂直板４４ｇ，４４ｇ及び垂直壁４４ｈ，４４ｈの後面は、後側取付部材４５と当接する当接面４４ｃとされており、後側取付部材４５前方の下方において左右方向に延在する当接面４５ｃは、上枠部３４に沿うように正面視で上方に凸、側面視で後方に凸となるよう湾曲していて、前側取付部材４４と後側取付部材４５とは、当接面４４ｃ及び当接面４５ｃによって当接している。
【００７６】
次に、上枠部３４と取付部材４３の関係を詳細に説明する。上枠部３４は、図１４及び１５に示すように、逃げ面３４ｃより前縁Ｅｆの近傍までが支持面４４ｄに接し、後縁Ｅｒを含む下面３４ｄと上面３４ｂとがそれぞれ後側取付部材４５の掛止部４５ｂ（上面４５ｂ１と下面４５ｂ２）に接している。これによって、上枠部３４ａの前縁Ｅｆと後縁Ｅｒがともに取付部材４３によって支持されていることになるため、上枠部３４を安定して保持することが可能となっている。この時、後側取付部材４５の掛止部４５ｂは、上枠部３４の前面３４ａと逃げ面３４ｃに対し上面３４ｂと下面３４ｄが長いことから、上枠部３４の全周の約５０％をくわえ込んだ状態で挟持することになるため、上下方向に加わる力を充分に支持することができ、さらに前後、左右方向への移動及び回転を不能に保持することも可能となる。つまり、ハンガー４１に衣服が掛けられ後側取付部材４５に後ろ向きのモーメントが加わったとしても、掛止部４５ｂがしっかりと取付部材４３と上枠部３４との相対位置を保持することができることから、前側取付部材４４は前縁Ｅｆを前面３４ａ側に大きく超えて上枠部３４を保持する必要がなく、前後方向の外れ防止機能のみを担えばよい構成となっている。そのため、起立部４４ａを薄板状に形成することができ、上枠部３４の前面３４ａに沿って張られるメッシュ地３８と干渉しないようになっている。
【００７７】
なお、前述の位置決め部４８（図１４（ｂ）参照）もハンガー４１に衣服が掛けられることで後側取付部材４５に加わる後ろ向きのモーメントの一部を支える効果を有している。また、メッシュ地３８の延びる方向は、前面３４ａより離間する方向であるから、より上枠部３４の前面３４ａとメッシュ地３８との干渉抑制が可能となっている。また起立部４４ａは、上枠部３４の前面３４ａのなす平面よりも下方に配置していることから、メッシュ地３８との干渉をより抑えることが可能となっている。
【００７８】
そして、上記の構成によって、上枠部３４と取付部材４３は取付部材４３の下部に設けた左右１つずつの締め付けねじ４７，４７のみによって固定することが可能となっている。
【００７９】
次に、取付部材４３及び保持部材４６と支持杆４２との関係を詳細に説明する。取付部材４３と保持部材４６が支持杆４２を挟持する際には、図１２及び１３に示すように保持部材４６に設けられた支持溝４６ａ，４６ａに支持杆４２を通し、突出部４６ｘ及び垂直板４６ｃ〜４６ｃ、上部突起４６ｙ、端部突起４６ｚ，４６ｚのそれぞれが後側取付部材４５に設けられた凹部４５ｘ、凹部４５ｙ、凹部４５ｚ，４５ｚと嵌り合い、さらに後側取付部材４５の係合ピン４５ｗと保持部材４６の受容部４６ｗとが嵌り合うことで、後側取付部材４５と保持部材４６が固定され、支持杆４２が挟持される。
【００８０】
ここで、図１８に示すように、係合ピン４５ｗは先端に係止爪４５ｗ１が設けられた四角柱４５ｗ２と、その左右方向内側において対向するように設けられた半円柱４５ｗ３とから形成されており、四角柱４５ｗ１の左右方向外側（図中の左側）には前後方向に貫通する貫通孔４５ｗ４が設けられている。そして、係合ピン４５ｗが受容部４６ｗに挿入されると、係止爪４５ｗ１が受容部４６ｗの側面に設けられた凹部としての矩形状の開口４６ｗ１に収容されるようになっており、係止爪４５ｗ１が一度開口４６ｗ１に収容されると、支持杆４２を保持した状態より取付部材４３と保持部材４６とを前後方向に相対移動させた際に、開口４６ｗ１の周縁としての開口縁４６ｗ２により係止爪４５ｗ１が係止されるようになっている。そのため、これら係合ピン４５ｗと受容部４６ｗとは、一度嵌り合うと、四角柱４５ｗ２と半円柱４５ｗ３との間隔を縮めて係止爪４５ｗ１と開口４６ｗ１の開口縁４６ｗ２との係止を解除しない限り、分離できないようになっており、取付部材４３と保持部材４６とはこれら係止爪４５ｗ１と開口縁４６ｗ２によって位置規制を受けていることとなる。また、開口４６ｗ１は係合ピン４５ｗの挿入される前後方向の開口長をＬ５としており、係止爪４５ｗ１が開口４６ｗ１内を開口長Ｌ５の範囲で可動となっているため、係合ピン４５ｗと受容部４６ｗとは、嵌り合った状態を保ちつつ前後方向への摺動動作が可能となっている。
【００８１】
ところで、図１２及び１３に示すように、取付部材４３と保持部材４６とによって支持杆４２を挟持する際には、杆４２ａ，４２ａに設けられた凹部４２ｑ１（４２ｑ２）と、後側取付部材４５の支持溝４５ａに設けられた凸部４５ｑとからなる誘導部４９が、取付部材４３に対する支持杆４２の相対位置を選択的に誘導可能となっており、これによって、上枠部３４に対する支持杆４２（ハンガー４１）の上下方向の相対位置を調整可能となっている。具体的には、支持杆４２は締め付けねじ４７，４７を緩めた状態のときは上下に摺動可能であり、締め付けねじ４７，４７を締め付けると、図１４（ｂ）に示すように、支持杆４２の凹部４２ｑ１（４２ｑ２）と後部取付部材４５の凸部４５ｑとが係合することで高さが固定される。ハンガー４１（支持杆４２）の取付け高さ位置を変更する場合は、一度締め付けねじ４７，４７を緩めた上で支持杆４２を上下に移動させ、凹部４２ｑ２（４２ｑ１）に凸部４５ｑを合わせて締め付けねじ４７，４７を締め付ける。この際、後側取付部材４５と保持部材４６とは、後側取付部材４５の係合ピン４５ｗと保持部材４６の受容部４６ｗとが嵌り合った状態で、図１８に示す開口４６ｗ１の開口長Ｌ５分だけ摺動するようになっているため、後側取付部材４５と保持部材４６とが完全に分離してしまうことがない。そのため、保持部材４６を完全に取り外さなくても支持杆４２を上下に摺動させることができ、ハンガー４１（支持杆４２）、取付部材４３及び保持部材４６をユニットとして取り扱うことができるため、ハンガー４１の位置調整を容易に行うことが可能となっている。また、ハンガー４１（支持杆４２）を取付部材４３及び保持部材４６から取り外す場合や、他のハンガー４１に変更する場合には、係合ピン４５ｗの四角柱４５ｗ１と半円柱４５ｗ２との間隔を縮めて開口４６ｗ１の開口縁４６ｗ２による係止爪４５ｗ１の係止を解除して、係合ピン４５ｗを受容部４６ｗから抜き出し、保持部材４６を取り外すことが可能となっている。なお、図３，１１等に示す本実施形態のハンガー４１では、支持杆４２の２本の杆４２ａ，４２ａは連結部４２ｂによって下部が連結された構造となっているが、ハンガー４１の交換を容易にするためには、連結部４２ｂを設けない構成として下部を連結しない構造にすることも好適である。こうすることによって、後側取付部材４５と保持部材４６とを分離させることなく、締め付けねじ４７，４７を緩めるだけで後側取付部材４５と保持部材４６とから支持杆４２を抜き取り、ハンガー４１を交換することができる。
【００８２】
なお、本実施形態において、上記の凹部４２ｑ１，４２ｑ２の位置（間隔Ｈｄ）は、図１９に示すように同一シリーズの椅子のハイバック品ＣＸの背枠の上端の高さ位置Ｈｘとローバック品ＣＹの背枠の上端の高さ位置Ｈｂの差に対応している。すなわち、凹部４２ｑ１と凹部４２ｑ２との間隔Ｈｄはハイバック品ＣＸの背枠の上端の高さ位置Ｈｘとローバック品ＣＹの背枠の上端の高さ位置Ｈｙとの差と等しくなっている（Ｈｄ＝Ｈｘ−Ｈｙ）。ハイバック品ＣＸとローバック品ＣＹでは、脚体１及び座２の構成は同一であり、背の形状（ハイバック品：３Ｘ、ローバック品：３Ｙ）のみが異なっている。これらは、上述した第２領域Ｒ２（図２参照）の上下方向の長さを異ならせたものであり、ほぼ同じデザインとなっている。そして、ハンガー４１をハイバック品ＣＸに取り付ける場合は上側の凹部４２ｑ１に、ローバック品ＣＹに取り付ける場合は下側の凹部４２ｑ２に後部取付部材４５の凸部４５ｑを係合させて、上枠部３４Ｘ及び３４Ｙに取り付けることで、両タイプの椅子にハンガー４１を取り付ける場合でも、ハンガー４１の取付け高さ位置Ｈを揃えることができ、両タイプの椅子をならべた場合でも見た目の統一感を得ることが可能となっている。
【００８３】
以上のように、本実施形態に係る椅子は、背枠３１とその前面に張設する張材であるメッシュ地３８により構成される背３を備えた椅子であって、背枠３１がその上部に左右方向に延在する横杆である上枠部３４を備え、この上枠部３４の上面には前後方向の中心よりも前方寄りの位置にメッシュ地３８を取り付けるための取付溝３４ｇが形成されるとともに、オプション部材であるハンガー４１を支持すべく上下方向に延在する支持杆４２と、上枠部３４に取り付けられる取付部材４３と、支持杆４２を取付部材４３との間で保持する保持部材４６とを備え、取付部材４３は、上枠部３４の後縁Ｅｒを跨がり下面３４ｄより上面３４ｃに沿って延在する掛止部４５ｂをさらに備え、掛止部４５ｂにより上枠部３４の後部に掛止されるとともに、上枠部３４の後縁Ｅｒと前縁Ｅｆとを挟み込むにあたってメッシュ地３８に干渉しないように取り付けられているように構成したものである。
【００８４】
このように構成しているため、メッシュ地３８に対する取付部材４３の干渉を避けて見た目や座り心地に影響を与えることなく、安定してハンガー４１を取り付けることが可能となっている。また、背枠３１を構成する横杆３４に取付部材４３を取り付け、保持部材４６を用いてハンガー４１を保持させるようにすることで取付作業性を向上することができるとともに、ハンガー４１の位置調整や交換を容易に行うことも可能となる。
【００８５】
加えて、取付部材４３が、前側取付部材４４と前側取付部材４４に後方よりねじ止めする後側取付部材４５とに分割され、これら前側取付部材４４と後側取付部材４５との間で上枠部３４を保持するように構成しているため、組立済みの椅子に対して後方よりねじ止め作業を行うことで、前側のメッシュ地３８に干渉することなく簡単にハンガー４１の取付を行うことが可能となっている。
【００８６】
また、取付部材４３と保持部材４６とにより支持杆４２を保持する位置を変更可能に構成しているため、簡単にハンガー４１の高さ調整を行うことが可能となっている。
【００８７】
さらに、上枠部３４が、上下方向の寸法に対して前後方向の寸法を大きく形成されているため、背枠３１とメッシュ地３８により背３を構成する点の特長を生かしてよりデザイン性を高めるとともに、取付部材４３を上枠部３４に取り付けた際の安定性をより高めることが可能となっている。
【００８８】
加えて、取付部材４３と上枠部３４との間に左右方向の位置決めを行うための位置決め部４８が構成されているため、左右方向にハンガー４１の位置がずれることなく、適切にハンガー４１の取付けを行うことが可能となっている。
【００８９】
そして、取付部材４３に前後方向に延在する係合ピン４５ｗが設けられ、保持部材４６に係合ピン４５ｗを摺動可能に受容する受容部としての受容部４６ｗが設けられているとともに、受容部４６ｗに設けられた凹部としての開口４６ｗ１と、係合ピン４５ｗに設けられており開口４６ｗ１に収容される係止爪４５ｗ１とを備えており、支持杆４２を保持した状態より取付部材４３と保持部材４６とを相対移動させた際に、凹部の周縁としての開口４６ｗ１の開口縁４６ｗ２により係止爪４５ｗ１が係止されることで取付部材４３と保持部材４６との位置規制を行うように構成されているため、保持部材４６を取付部材４３から取り外すことなく支持杆４２を上下に移動させ、ハンガー４１の位置調整を容易に行うことが可能となっている。
【００９０】
なお、各部の具体的な構成は、上述した実施形態のみに限定されるものではない。
【００９１】
例えば、上記の実施形態においては、オプション部材として背枠の上枠部３４にハンガー４１を取り付けた構成を示したが、ハンガー４１以外に、図２０に示すようなヘッドレスト５１など他のオプション部材を取り付けることも可能である。
【００９２】
また、上記の実施形態ではハンガー４１と支持杆４２は一体形成されていたが、着脱可能な構成とすることも可能である。この場合、背３に支持杆４２のみ取り付けた状態でハンガー４１を取り外すことができることになり、この状態で形状の異なるハンガーを取り付けることや、ハンガー以外のヘッドレスト等を取り付けることも可能となる。さらに、支持杆４２を２本の杆４２ａ，４２ａ及び連結部４２ｂによって構成するのではなく、１枚の平板によって構成することも考えられる。
【００９３】
さらに、上述の実施形態において、オプション部材は上枠部３４取り付けるよう構成していたが、オプション部材は必ずしも上枠部３４に取り付ける必要はなく、下枠部３５にオプション部材を取り付ける構成や、縦杆３３の中部に新たに横杆を設け、当該横杆にオプション部材を取り付ける構成としてもよい。
【００９４】
また、オプション部材を取り付けるための取付部材４３及び保持部材４６は締め付けねじ４７，４７によって固定されていたが、オプション部材の使用によって固定が外れてしまわないのであれば、締め付けねじ４７を用いるのではなく、磁石等の別の手段によって固定する構成としてもよい。
【００９５】
また、上述の実施形態において、位置決め部４８は、前側取付部材４４の突起４４ｐとそれに対応する上枠部３４側の切り欠き４５ｐから構成されていたが、左右方向の位置決めが可能であれば上記の構成に限定されるものではなく、適切な取り付け位置を示した表示を取付部材４３と上枠部３４に設けるなど他の方法を適用することも可能である。
【００９６】
加えて、上述した実施形態においては、取付部材４５に係合ピン４５ｗを設け、保持部材４６に受容部４６ｗが設けるよう構成していたが、これとは反対に取付部材４５に受容部４６ｗを設け、保持部材４６に係合ピン４５ｗを設けるように構成することも可能である。また、係合ピン４５ｗの係止爪４５ｗ１は受容部４６ｗに設けられた矩形状の開口４６ｗ１に収容されるようになっていたが、開口４６ｗは矩形でなくてもよく、また開口のない単なる窪み状の凹部の周縁によって係止爪４５ｗ１が係止されるように構成することも可能である。
【００９７】
その他の構成も、本発明の趣旨を逸脱しない範囲で種々変形が可能である。
【符号の説明】
【００９８】
３１…背枠
３４…上枠部（横杆）
３８…メッシュ地（張材）
４１…ハンガー（オプション部材）
４２…支持杆
４４…前側取付部材
４５…後側取付部材
４５ｗ…係合ピン
４５ｗ１…係止爪
４５ｂ…掛止部
４６…保持部材
４６ｗ…受容部
４６ｗ１…開口（凹部）
４６ｗ２…開口縁（周縁）
４８…位置決め部
【図１】
2015144643.tif 000003
【図２】
2015144643.tif 000004
【図３】
2015144643.tif 000005
【図４】
2015144643.tif 000006
【図５】
2015144643.tif 000007
【図６】
2015144643.tif 000008
【図７】
2015144643.tif 000009
【図８】
2015144643.tif 000010
【図９】
2015144643.tif 000011
【図１０】
2015144643.tif 000012
【図１１】
2015144643.tif 000013
【図１２】
2015144643.tif 000014
【図１３】
2015144643.tif 000015
【図１４】
2015144643.tif 000016
【図１５】
2015144643.tif 000017
【図１６】
2015144643.tif 000018
【図１７】
2015144643.tif 000019
【図１８】
2015144643.tif 000020
【図１９】
2015144643.tif 000021
【図２０】
2015144643.tif 000022